(57)【要約】【課題】  状況に応じてサービス内容を設定可能であると共に、設置スペース、携帯機器等を有効活用することを可能とする画像出力装置等を提供する。【解決手段】  画像出力装置１０１は、証明写真撮影が選択されると（ステップ９０１）、幕装置２０８から天井幕支持材１００２を伸長して天井幕１００３を架設する（ステップ９０２）。画像出力装置１０１は、背景幕支持材１００５を駆動して背景幕１００６を巻き出して背景幕を設置する（ステップ９０３）。画像出力装置１０１は、天井幕１００３及び背景幕１００６等により撮影空間１００７を形成すると、照明装置２０７を調整、調節し、利用者に撮影を実行するよう促す（ステップ９０４）。利用者１００１は、自身が所有する撮影機器１００８（デジタルカメラ、撮影機能付き携帯電話等）により自身の撮影を行う（ステップ９０５）。【選択図】  図１１
2005191665.tif 000002
【特許請求の範囲】
【請求項１】
画像データを入力する入力手段と、
前記画像データを印刷出力する出力手段と、
幕を設ける幕設置手段と、
を具備することを特徴とする画像出力装置。
【請求項２】
前記幕設置手段は、支持材を伸長して天井幕を架設することを特徴とする請求項１に記載の画像出力装置。
【請求項３】
前記幕設置手段は、ロールから巻き出して背景幕を設けることを特徴とする請求項１に記載の画像出力装置。
【請求項４】
前記天井幕及び前記背景幕が設けられている間に照明を調節する照明手段を具備すること特徴とする請求項１に記載の画像出力装置。
【請求項５】
前記入力手段は、被写体を撮影することにより前記画像データを入力することを特徴とする請求項１に記載の画像出力装置。
【請求項６】
画像データを入力する入力手段と、
前記画像データを印刷出力する出力手段と、
時間帯毎の料金の設定を行う設定手段と、
を具備することを特徴とする画像出力装置。
【請求項７】
コンピュータを請求項１から請求項６までのいずれかに記載の画像出力装置として機能させるプログラム。
【請求項８】
コンピュータを請求項１から請求項６までのいずれかに記載の画像出力装置として機能させるプログラムを記録した記録媒体。
【請求項９】
入力される画像データを印刷出力する画像出力装置が実行する撮影空間形成方法であって、
天井幕を設ける天井幕設置工程と、
背景幕を設ける背景幕設置工程と、
を具備することを特徴とする撮影空間形成方法。
【請求項１０】
前記天井幕設置工程は、支持材を伸長し、前記支持材に前記天井幕を架設することを特徴とする請求項９に記載の撮影空間形成方法。
【請求項１１】
前記背景幕設置工程は、ロールから前記背景幕を巻き出すことを特徴とする請求項９に記載の撮影空間形成方法。
【発明の詳細な説明】
【技術分野】
【０００１】
本発明は、デジタルカメラで撮影した画像、スキャナで読込んだ画像、持参した記録媒体に記録されている画像データ、装置に予め保存してある画像等を合成、編集してプリントできる画像出力装置等に関する。
【背景技術】
【０００２】
近年、画像出力装置（デジタルフォトプリント装置等）が街頭端末（ＫＩＯＳＫ端末）として店舗内や街頭に設置され、利用されている。この画像出力装置は、デジタルカメラ等で撮像した画像、記録媒体に記録されている画像データ等を読み込んで、画像編集、画像合成、プリント出力等を行う（例えば、［特許文献１］、［非特許文献１］参照。）。
【０００３】
画像出力装置は、駅前の証明写真撮影コーナー、ゲームセンター等のアミューズメント施設等に設置され、利用者は、自分のデジタルカメラで撮影した画像データを記録した記録媒体を持参して画像出力装置に読み取らせ、あるいは、その場で撮影を行い、必要に応じて画像編集処理等を行い、出力サイズ、出力枚数等を指定して高精細なカラープリントを出力し、そのまま持ち帰ることができる。
【０００４】
【特許文献１】特開２００２−４６３２４号公報
【非特許文献１】大日本印刷株式会社、"デジカメプリントのすすめ"、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【発明の開示】
【発明が解決しようとする課題】
【０００５】
しかしながら、上記のように従来の画像出力装置は、多種多様な処理を行うことが可能であるが、その反面、設定の変更が困難であり、状況に応じてサービス内容を変更することができないという問題点がある。
【０００６】
また、撮影機能付き携帯電話等が普及し、常時、撮影可能な機器を携行しており自身で撮影可能である。しかし、証明写真等を撮影する場合、証明写真撮影用の環境（単一色背景等）を要し、結局、写真店の証明写真サービス、証明写真ボックス等を利用するしかなく、手持ちの撮影可能な機器を有効活用することができないという問題点がある。
【０００７】
従来の画像出力装置の中には、背景を同一色に編集し、証明写真風にする機能を有するものがあるが、実際にはデジタルカメラ等により撮影した画像データを証明写真として編集することは困難であり、実用に耐えないという問題点がある。
【０００８】
本発明は、以上の問題点に鑑みてなされたものであり、状況に応じてサービス内容を設定可能であると共に、設置スペース、携帯機器等を有効活用することを可能とする画像出力装置等を提供することを目的とする。
【課題を解決するための手段】
【０００９】
前述した目的を達成するために第１の発明は、画像データを入力する入力手段と、前記画像データを印刷出力する出力手段と、幕を設ける幕設置手段と、を具備することを特徴とする画像出力装置である。
【００１０】
第１の発明の画像出力装置は、幕を設けて撮影空間を形成する。幕の設置は、例えば、支持材を伸長して天井幕を架設したり、ロールから巻き出して背景幕を設けることにより行うことができる。
また、画像出力装置は、照明装置を調整して撮影に適した撮影空間を形成するようにしてもよい。
【００１１】
利用者は、背景幕等が設けられ撮影空間が形成されると、自身が所有する撮影機器（撮影機能付き携帯電話、デジタルカメラ等）により自身の撮影を行うことにより証明写真撮影等を行う。利用者は、撮影した画像データをメディア等を介して画像出力装置に入力してプリントすることができる。
尚、撮影は、画像出力装置が備える撮影機能を用いるようにしてもよい。
【００１２】
第１の発明では、画像出力装置は、天井幕及び背景幕等を設けることにより、証明写真等の撮影に適した撮影空間を形成するので、証明写真サービス、証明写真ボックス等がなくても、一定の品質の証明写真等を撮影することができる。
近年、高画素の撮影機能付き携帯電話が普及しつつあり、背景カーテン等があれば、証明写真サービス、証明写真ボックス等がなくとも、その場で利用者自身が撮影、プリントを行うことにより、手持ちの撮影機器を有効活用することができ、利用者の利便性が向上する。
【００１３】
第２の発明は、画像データを入力する入力手段と、前記画像データを印刷出力する出力手段と、時間帯毎の料金の設定を行う設定手段と、を具備することを特徴とする画像出力装置である。
【００１４】
第２の発明の画像出力装置は、時間帯毎の料金を設定し、当該設定に基づいて画像データの出力等の処理を行う。
第２の発明では、画像出力装置は、設定データを参照し、時間帯毎に設定された料金（タイムサービス等）に基づいて課金処理を行うので、管理者（事業者）は、ビジネススタンスに応じて柔軟に、画像出力装置の設定を行うことができる。
【００１５】
第３の発明は、コンピュータを第１の発明または第２の発明の画像出力装置として機能させるプログラムである。
第４の発明は、コンピュータを第１の発明または第２の発明の画像出力装置として機能させるプログラムを記録した記録媒体である。
上述のプログラムをＣＤ−ＲＯＭ等の記録媒体に保持させて流通させてもよいし、このプログラムを通信回線を介して送受することもできる。
【００１６】
第５の発明は、入力される画像データを印刷出力する画像出力装置が実行する撮影空間形成方法であって、天井幕を設ける天井幕設置工程と、背景幕を設ける背景幕設置工程と、を具備することを特徴とする撮影空間形成方法である。
第５の発明は、第１の発明の画像出力装置が実行する撮影空間形成方法に関する発明である。
【発明の効果】
【００１７】
本発明によれば、状況に応じてサービス内容を設定可能であると共に、設置スペース、携帯機器等を有効活用することを可能とする画像出力装置等を提供することができる。
【発明を実施するための最良の形態】
【００１８】
以下、添付図面を参照しながら、本発明に係る画像出力装置等の好適な実施形態について詳細に説明する。なお、以下の説明及び添付図面において、略同一の機能構成を有する構成要素については、同一の符号を付することにより重複説明を省略することにする。
【００１９】
最初に、図１を参照しながら、本発明の実施の形態に係る画像プリントシステム１００（画像出力装置１０１）の構成について説明する。
図１は、画像出力装置プリントシステム１００（画像出力装置１０１）の構成を示すブロック図である。
【００２０】
画像プリントシステム１００は、画像出力装置１０１、端末装置１０２等により構成される。端末装置１０２で作成された設定データ４００（後述する）は、記録媒体１０３、あるいは、ネットワーク（接続線）１０４等を介して、画像出力装置１０１に入力される。また、設定データ４００は、画像出力装置１０１に備えられたキーボード、マウス等の入力装置１０５により直接画像出力装置１０１に入力することもできる。
【００２１】
画像出力装置１０１は、画像データ読込書込手段１１１、画像編集合成手段１１２、素材データベース１１３、プリント手段１１４、注文内容入力手段１１５、課金手段１１６、設定手段１１７、幕制御手段１１８等を備える。
【００２２】
画像データ読込書込手段１１１は、被写体１２１（利用者）をデジタルカメラ等の撮像装置により撮像したり、原稿１２２をスキャナ装置等の原稿読取装置により読み取ったり、予め画像データが記録された記録媒体１２３（メディア）から読み取ることにより、画像データを取得する。また、画像データ読込書込手段１１１は、画像出力装置１０１が作成した画像データを記録媒体１２３に記録することもできる。
記録媒体１２３は、例えば、スマートメディア、コンパクトフラッシュ（登録商標）カード（ＣＦカード）、フロッピー（登録商標）ディスク、ＰＣカード、光ディスク（ＣＤ−ＲＯＭ等）等である。
【００２３】
画像編集合成手段１１２は、１つ以上の入力または選択した画像データに対して、落書き、スタンプのような加工、画像データの切抜き、変倍、切抜いた画像の他の画像への貼付け等、合成、編集等を対話的に行う対話型インタフェース手段と画像処理プログラムで構成される。加工や合成、編集に扱う画像データとしては、素材データベース１１３に存在する素材画像データ、フレーム画像データ等を用いることもできる。
【００２４】
プリント手段１１４は、高解像度カラープリンタである。昇華型あるいはインクジェット型などの方式は問わない。プリント物１２４は、プリント出力された撮像による証明写真、デジタルカメラ画像等による写真、シールプリント、葉書等である。
【００２５】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定等がある。尚、利用者は、画像を出力する前に、１つ以上の画像データを指定して加工および合成、編集することができる。
【００２６】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００２７】
設定手段１１７は、画像出力装置１０１の初期設定、動作設定、機器設定等の設定を行う。尚、設定は、設定データ４００に基づいて行われる。
幕制御手段１１８は、天井幕、背景幕等を設け、撮影に適した撮影空間を形成する。例えば、証明写真撮影に適した撮影空間を形成する場合、幕制御手段１１８は、単一色の背景幕を設け、照明を調整する。
【００２８】
端末装置１０２は、コンピュータ等であり、設定データファイルを作成する。端末装置１０２は、例えば、テキストエディタ等の編集プログラムを実行することにより、あるいは、当該設定データの作成を支援する支援プログラムを実行することにより、設定データファイルを作成する。
記録媒体１０３は、設定データを記録可能な媒体であり、例えば、フロッピー（登録商標）ディスク、ＣＤ−ＲＯＭ等である。
【００２９】
ネットワーク（接続線）１０４は、ＬＡＮ（ローカルエリアネットワーク）、専用回線、インターネット等のネットワーク、ケーブル、バス等の接続線等であり、有線、無線を問わない。ネットワーク（接続線）１０４は、端末装置１０２及び画像出力装置１０１間のデータの授受を媒介する。
また、入力装置１０５は、キーボード、マウス等の入力装置であり、設定データ４００を直接画像出力装置１０１に入力する。
【００３０】
次に、図２を参照しながら、画像出力装置１０１の外観構成について説明する。
図２は、画像出力装置１０１の外観斜視図である。
【００３１】
画像出力装置１０１（本体）の上段部正面には、タッチパネル付きモニタ等であるモニタ画面２０１が配置されている。モニタ画面２０１は、操作の案内や、操作の状況や、読み取った画像あるいは編集加工した画像等を表示する表示手段としての機能を発揮する。
【００３２】
モニタ画面２０１の画面の横には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置により被写体（利用者等）を撮像するためのレンズ窓２０４が設置される。
これらのメディア挿入口２０２、スキャナ面２０３、窓２０４は、画像データ読込書込手段１１１の一部を構成する。
【００３３】
メディア挿入口２０２は、各種メディア（スマートメディア、コンパクトフラッシュ（登録商標）カード（ＣＦカード）、フロッピー（登録商標）ディスク、ＰＣカード、光ディスク（ＣＤ−ＲＯＭ等）等）の受付部であり、フロッピ（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。また、画像出力装置１０１の本体内には上記各記録メディアの種類に対応して、それぞれの読取装置（メディアリーダ）の本体（図示しない。）が設置されている。
【００３４】
また、各挿入口には、開閉カバー（シャッタ）を備えても良い。この場合、開閉扉の開閉を制御することにより、処理中に記録メディアを取り出せないようにしたり、課金処理、手数料の徴収が完了するまで記録メディアを取り出せないようにすることができる。
【００３５】
画像出力装置１０１の下段部には、プリント物取出口２０５、スピーカ２０６等が設置され、この他、料金投入口（硬貨投入口、紙幣挿入口）、返却レバー、返却口、レシート取出口、メインテナンスキー、ドア開閉キー等が配置される。
【００３６】
プリント物取出口２０５は、プリント手段１１４の一部を構成する。利用者は、タッチパネルボタンに触れるなどしてプリント実行を指示した後、プリント物取出口２０５から放出されるプリント物を受け取る。
スピーカ２０６は、操作中あるいは待機中に、警告音、確認音、操作案内メッセージ、音声、ＢＧＭ、効果音等を再生する。
【００３７】
照明装置２０７は、電球、蛍光灯、フラッシュバルブ、ストロボ等の写真用照明である。照明装置２０７は、上記の定常光（連続光）、フラッシュ光等を併用するようにしてもよい。
幕装置２０８は、証明写真等を撮影するための撮影空間を形成する装置である。幕装置２０８は、撮影時に天井幕、背景幕等を設けることにより撮影空間を形成する。幕装置２０８については、後述する。
【００３８】
また、画像出力装置１０１の本体内には、図示しないが、各構成部分を制御するための制御部を含むパーソナルコンピュータや、電圧の変換を行う電源ボックス、停電時に制御部のＣＰＵやハードディスク等の破損を防ぐ無停電電源装置等が設置される。
【００３９】
次に、図３を参照しながら、画像出力装置１０１のハードウェア構成について説明する。
図３は、画像出力装置１０１のハードウェア構成図である。
【００４０】
画像出力装置１０１は、制御部３０１、記憶部３０２、入出力部３０３、デジタルカメラ３０４、スキャナ３０５、各種メディア読取書込部３０６（１〜ｎ）、モニタ３０７（タッチパネル付き）、コインメック３０８、ビルバリ３０９、レシートジャーナル処理部３１０、プリンタ３１１、幕制御部３１２（支持材、天井幕、背景幕等）、通信制御部３１３等が、システムバス３１４を介して接続される。
【００４１】
制御部３０１は、ＣＰＵ、ＲＯＭ、ＲＡＭ等で構成され、大容量記憶媒体としてのハードディスク等である記憶部３０２に格納されたプログラムに従って、システムバス３１４を介して接続された各装置を駆動制御する。
【００４２】
記憶部３０２には、各構成部分を駆動制御するプログラム、例えば各記録メディアに対応する読取書込プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０７に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３、各種設定データ等が格納されている。
【００４３】
尚、これらの各プログラムコードは、制御部３０１により必要に応じて読み出されてＲＡＭに移され、ＣＰＵに読み出されて各種の手段として実行される。
また、制御部３０１のメモリあるいは記憶部３０２は、処理に必要なデータ、画像データ等の情報を一時的に保持することもできる。
【００４４】
入出力部３０３（ＣＤ−ＲＯＭドライブ装置、キーボード、マウス等）は、制御部３０１のＲＯＭや記憶部３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００４５】
デジタルカメラ３０４、スキャナ３０５、各種メディア読取書込部３０６（１〜ｎ）は、画像データの取得、入力を行う。これらは、画像データ読込書込手段１１１に相当する。
【００４６】
モニタ３０７に表示された操作案内に従って、同モニタ３０７に表示されたタッチパネルボタンを選択し触れることにより、プリントモードの選択およびオリジナル画像データの読み込みから、加工、合成、編集、プリント物の出力までの一連の操作を行うことができる。モニタ３０７は、上記表示手段に相当する。
【００４７】
コインメック３０８、ビルバリ３０９、レシートジャーナル処理部３１０は、課金手段１１６に相当し、硬貨投入、紙幣挿入を受け付けたり、レシートの発行を行う。
プリンタ３１１は、プリント手段１１４に相当し、画像の印刷出力処理を行う。
【００４８】
幕制御部（支持材、天井幕、背景幕等）３１２は、天井幕を架設するための支持材を伸縮したり、背景幕を巻き出し・巻き取るローラを回転駆動させる。尚、背景幕等は、手動によりローラから巻き出し・巻き取るようにしてもよい。
【００４９】
通信制御部３１３は、通信制御装置、通信ポート等であり、画像出力装置１０１及び端末装置１０２間の通信制御を行う。
システムバス３１４は、各部、各装置間の制御信号、データ信号等の授受を媒介する経路である。
【００５０】
次に、図４を参照しながら、設定データについて説明する。
図４は、設定データ４００の一態様を示す図である。
【００５１】
設定データ４００は、画像プリントシステム１００、画像出力装置１０１が実行する処理（装置制御、画像処理、印刷出力処理等）の動作設定、機器設定等についての情報を示す。
【００５２】
設定データ４００は、これらの情報をテキスト形式等により記録する。画像出力装置１０１は、設定データ４００が入力されると、当該設定データに基づいて初期設定を行ったり、当該設定データをハードディスク装置等に保持し、各種処理を実行する際に設定値、パラメータ等として参照したりする。
【００５３】
図４に示す設定データ４００は、時間帯４０１、料金４０２等の各フィールドを有する。
時間帯４０１は、サービスを提供する時間帯を示し、例えば、「９：００〜１７：００」、「１７：００〜９：００」である。
料金４０２は、サービス提供時間帯毎の料金を示し、例えば、「Ｌサイズ５０円／枚」、「Ｌサイズ４０円／枚」である。
【００５４】
尚、設定データ４００については、設定値として標準的な値を示すデフォルト値を用意しておいてもよい。
また、設定データの全部、あるいは、その一部を別データ（別ファイル）等に記録し、設定データ４００には、当該データ（ファイル）等の参照先を記述するようにしてもよい。
【００５５】
次に、図５及び図６を参照しながら、画像プリントシステム１００の動作について説明する。
図５は、設定処理に係る画像出力装置１０１、端末装置１０２の動作を示すフローチャートである。
【００５６】
端末装置１０２は、設定データを作成し（ステップ５０１）、当該設定データを画像出力装置１０１に入力、提供する（ステップ５０２）。
画像出力装置１０１は、設定データに基づいて設定を行ったり、あるいは、設定データを各種処理の実行時に利用可能、参照可能な形式に変換してハードディスク装置等に保持する（ステップ５０３）。画像出力装置１０１は、設定した動作設定、機器設定、あるいは、保持した設定データに基づいて、各種処理を実行する（ステップ５０４）。
【００５７】
図６は、上記のステップ５０４（各種処理）に係る画像出力装置１０１の動作を示すフローチャートである。
【００５８】
画像出力装置１０１（制御部３０１）は、サービスの内容、手順、案内等を示すメニュー画面を表示し、利用者に選択させる。（ステップ６０１）。
画像出力装置１０１は、画像データを取得し、モニタ上へ表示する（ステップ６０２）。尚、利用者は、画像データの入力に際し、記録メディアからの読み取り、スキャナからの読み取り、撮像装置（デジタルカメラ等）による被写体の撮像等の方法を選択することができる。
【００５９】
画像出力装置１０１は、利用者の指示に基づいて、画像データの加工、編集、合成等を行う（ステップ６０３）。画像の加工、編集、合成は、例えば、入力画像データ同士、フレーム画像、既存画像等の合成、塗色、文字入力、移動、拡大・縮小、はがきデータ作成等である。
【００６０】
画像出力装置１０１は、利用者の注文内容（出力形態（写真プリント、シールプリント、インデックスプリント、はがきプリント等）、プリント枚数等）に応じて、課金処理、レシート発行処理を行う（ステップ６０４）。
【００６１】
画像出力装置１０１は、色修正、リサイズ、トリミング、レイアウト、文字・ロゴ合成等の画像処理を行い（ステップ６０５）、画像処理した画像データをメモリ、ハードディスク装置等に保持し、出力可能状態となったプリンタ装置に当該画像データを転送し、印刷出力処理を行う（ステップ６０６）。
画像プリントシステム１００の稼働を続ける場合（ステップ６０７のＮｏ）、画像出力装置１０１は、ステップ６０１〜ステップ６０７までの処理を繰り返す。
【００６２】
画像出力装置１０１は、ステップ６０１〜ステップ６０７等の処理を行う際、設定済の設定あるいは保持した設定データ（ステップ５０３：図５）を参照して処理を実行する（ステップ６００）。
尚、ステップ６０４において、画像出力装置１０１は、設定データ４００を参照して、時間帯毎に設定された料金に基づいて、課金処理を行う。
【００６３】
以上の過程を経て、画像出力装置１０１は、入力された設定データに基づいて、初期設定、動作設定、機器設定等の設定を行い、あるいは、利用可能な形式に変換して保持し、当該設定を参照して各種処理を実行する。
【００６４】
このように、初期設定、動作設定、機器設定等の設定に関する情報を１のテキストファイル等にまとめて記述することにより設定データを作成し、当該設定データを画像出力装置に入力することにより、設定対象が多岐に渡る場合であっても、統一的なフォーマット、手順、方法により一括して設定を行うことができ、初期設定、動作設定、機器設定等の設定に係る労力的負担を著しく軽減することができる。
【００６５】
尚、端末装置１０２において作成された設定データは、記録媒体を介してあるいはネットワーク、ケーブル等の接続線を介して、当該設定データを画像出力装置１０１に入力するようにしてもよい。また、設定データを端末装置１０２において作成することに替えて、画像出力装置１０１が備えるキーボード、マウス等の入力装置に直接設定データを入力することも可能である。
【００６６】
尚、設定データ４００は、テキストファイル形式等により記録されるとしたが、これに限られず、画像出力装置１０１が認識可能であれば、その形式、形態は問わない。また、単にテキスト入力により設定データ４００を作成するだけでなく、設定データ４００の作成を支援するプログラム等を利用して、当該プログラムにより提供されるインタフェースにより、設定データ４００を作成するようにしてもよい。この支援プログラムは、画像出力装置１０１、端末装置１０２のいずれに対しても導入可能である。
【００６７】
また、図６において、画像出力装置は、設定済の設定あるいは保持した設定データを参照して、処理を実行するものとして説明したが、設定データに基づく設定の際（ステップ５０３：図５）、画像出力装置の動作を特定する処理プログラム中に当該設定を直接組み込むようにしてもよい。この場合、画像出力装置１０１は、当該処理プログラムを実行すると、自動的に組み込まれた設定に基づいて処理を実行することができる。
【００６８】
また、画像出力装置は、各手段（図１等）及び各装置（図３等）を一体として構成してもよいし、その一部を分離して、接続線（ケーブル等、有線無線を問わない。）、ネットワーク（専用線、ＬＡＮ、インターネット等、有線無線を問わない。）等により接続するようにしてもよい。
【００６９】
次に、図７及び図８を参照しながら、課金処理に係る、画像出力装置１０１の動作について説明する。
画像出力装置１０１は、設定（設定済の設定、設定データの参照等）に基づいて、画面（画像印刷・印刷枚数指定画面）にサービス内容を表示し、処理を行う。
【００７０】
図７は、「現在時刻１５：００」の場合の画像出力装置１０１の画面表示の一態様を示す。
この場合、図４の設定データ４００を参照すると時間帯「９：００〜１７：００」における料金「Ｌサイズ１枚５０円」であるので、画像出力装置１０１は、画面７０１にサービス内容７０２として「Ｌサイズ１枚５０円」を表示し、、注文内容７０３として「指定枚数１０枚、料金５００円」を表示する。
【００７１】
図８は、「現在時刻２３：００」の場合の画像出力装置１０１の画面表示の一態様を示す。
この場合、図４の設定データ４００を参照すると時間帯「１７：００〜９：００」における料金「Ｌサイズ１枚４０円」であるので、画像出力装置１０１は、画面８０１にサービス内容８０２として「Ｌサイズ１枚４０円」を表示し、注文内容８０３として「指定枚数１０枚、料金４００円」を表示する。
【００７２】
このように、画像出力装置は、設定データを参照し、時間帯毎に設定された料金（タイムサービス等）に基づいて課金処理を行うので、管理者（事業者）は、ビジネススタンスに応じて柔軟に画像出力装置の設定を行うことができ、メンテナンスモードにより容易に価格変更等を行うことができる。
また、利用者は、画像出力装置が画面表示する注文内容、サービス内容の表示により注文内容（枚数、料金）、サービス内容（料金設定）等を確認することができる。
【００７３】
次に、図９〜図１１を参照しながら、撮影空間形成における、画像出力装置１０１の動作について説明する。
【００７４】
図９は、撮影空間形成における、画像出力装置１０１の動作を示すフローチャートである。
図１０は、画像出力装置１０１における天井幕設置を示す図である。
図１１は、画像出力装置１０１における背景幕設置を示す図である。
【００７５】
図１０に示すように、画像出力装置１０１（制御部３０１）は、利用者により撮影空間形成の指示（証明写真撮影の選択等）を受けると（ステップ９０１）、幕装置２０８から天井幕支持材１００２を伸長して天井幕１００３を架設する（ステップ９０２）。
【００７６】
図１１に示すように、画像出力装置１０１は、背景幕支持材１００５を駆動して背景幕１００６を巻き出して背景幕を設置する（ステップ９０３）。
背景幕支持材１００５は、天井幕支持材１００２の先端に設けられる。背景幕支持材１００５は、ロールスクリーン、スライド式カーテン等の背景幕１００６を巻き出し・巻き取るロール等である。
背景幕支持材１００５は、画像出力装置１０１により駆動するようにしてもよいし、利用者１００１が取っ手１００４を用いて、背景幕１００６を背景幕支持材１００５から出し入れするようにしてもよい。
【００７７】
画像出力装置１０１は、天井幕１００３及び背景幕１００６等により撮影空間１００７を形成すると、照明装置２０７を調整、調節し、利用者に撮影を実行するよう促す（ステップ９０４）。
利用者１００１は、自身が携行する撮影機器１００８（デジタルカメラ、撮影機能付き携帯電話等）により自身の撮影を行う（ステップ９０５）。
尚、画像出力装置１０１が備える撮影機能（デジタルカメラのレンズ窓２０４等）により、利用者１００１の撮影を行うこともできる。
【００７８】
利用者１００１は、撮影後、撮影機器１００８から記録媒体（カードメディア等）を取り出し、画像出力装置１０１のメディア挿入口２０２に差し込み、撮影した画像データに関して、プリント処理等を行うことができる（図６等参照）。
【００７９】
このように、画像出力装置は、天井幕及び背景幕等を設けることにより、証明写真等の撮影に適した撮影空間を形成するので、証明写真サービス、証明写真ボックス等がなくても、一定の品質の証明写真等を撮影することができる。
また、その場で利用者自身が撮影、プリントを行うことにより、手持ちの撮影機器を有効活用することができ、利用者の利便性、経済性（撮影料金の節約）等が向上する。
また、天井幕及び背景幕等は、撮影時にのみ設けられ、撮影終了後に再び画像出力装置１０１本体に収納されるので、設置スペースを節約し、有効活用することができる。
尚、天井幕を設けず、背景幕のみを設けることにより、撮影空間を形成するようにしてもよい。
【００８０】
以上説明したように、本発明の実施の形態によれば、画像出力装置は、時間帯毎に設定された料金に基づいて課金処理を行うので、タイムサービスによる利用促進を図ることができ、天井幕及び背景幕等を設けることにより、証明写真等の撮影に適した撮影空間を形成するので、利用者の利便性を向上させることができる。
【００８１】
また、図５、図６、図９等に示す処理を行うプログラムをＣＤ−ＲＯＭ等の記録媒体に保持させて流通させてもよいし、このプログラムを通信回線を介して送受することもできる。
【００８２】
以上、添付図面を参照しながら、本発明にかかる画像出力装置等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００８３】
【図１】画像出力装置プリントシステム１００（画像出力装置１０１）の構成を示すブロック図
【図２】画像出力装置１０１の外観斜視図
【図３】画像出力装置１０１のハードウェア構成図
【図４】設定データ４００の一態様を示す図
【図５】設定処理に係る画像出力装置１０１、端末装置１０２の動作を示すフローチャート
【図６】画像出力装置１０１の動作を示すフローチャート
【図７】画像出力装置１０１の画面表示の一態様を示す図
【図８】画像出力装置１０１の画面表示の一態様を示す図
【図９】撮影空間形成における、画像出力装置１０１の動作を示すフローチャート
【図１０】画像出力装置１０１における天井幕設置を示す図
【図１１】画像出力装置１０１における背景幕設置を示す図
【符号の説明】
【００８４】
１００………画像プリントシステム
１０１………画像出力装置
１１１………画像データ読込書込手段
１１２………画像編集合成手段
１１３………素材データベース
１１４………プリント手段
１１５………注文内容入力手段
１１６………課金手段
１１７………設定手段
１１８………幕制御手段
２０１………モニタ画面
２０２………メディア挿入口
２０７………照明装置
２０８………幕装置
３０１………制御部
３０２………記憶部
３１２………幕制御部
４００………設定データ
４０１………時間帯
４０２………料金
１００１………利用者
１００２………天井幕支持材
１００３………天井幕
１００４………取っ手
１００５………背景幕支持材
１００６………背景幕
１００７………撮影空間
１００８………撮影機器
【図１】
2005191665.tif 000003
【図２】
2005191665.tif 000004
【図３】
2005191665.tif 000005
【図４】
2005191665.tif 000006
【図５】
2005191665.tif 000007
【図６】
2005191665.tif 000008
【図７】
2005191665.tif 000009
【図８】
2005191665.tif 000010
【図９】
2005191665.tif 000011
【図１０】
2005191665.tif 000012
【図１１】
2005191665.tif 000013